(57)【要約】【課題】内容積を減少させることなく、引裂き開始部と逆側の側面部のＶ字の頂部を切り裂くことができ、確実に開封することができるガゼット袋を提供する。【解決手段】ガゼット袋は、軟質包装材料からなり、一対の平面部と、一対の側面部と、前記一対の平面部及び前記一対の側面部の端縁同士を接合している側部シール部と、を有し、前記側部シール部の一部の領域に易開封部が設けられ、前記易開封部は、前記側部シール部と内容物収納部の境界線である前記側部シール部の内端縁をまたぐように、前記側部シール部上および前記内容物収納部上に形成された傷痕群を有する。【選択図】図１
2019199304.tif 000002
【特許請求の範囲】
【請求項１】
軟質包装材料からなり、少なくとも一対の平面部と一対の側面部からなる内容物収納部形成面部と、前記一対の平面部及び前記一対の側面部を形成する軟質包装材料の側部同士を接合している側部シール部と、前記内容物収納部形成面部に囲まれた内容物収納部を有するガゼット袋であって、
前記側部シール部の一部を含む領域に易開封部が設けられ、
前記易開封部は、前記側部シール部と前記内容物収納部形成面部の境界線である前記側部シール部の内端縁をまたぐように形成された傷痕群を有することを特徴とするガゼット袋。
【請求項２】
前記側部シール部は４本あり、前記易開封部は、全ての前記側部シール部のそれぞれにおいて、略同一の高さ位置に設けられていることを特徴とする請求項１に記載のガゼット袋。
【請求項３】
前記易開封部において、前記傷痕群は前記側部シール部の外端縁まで延びていることを特徴とする請求項１または２に記載のガゼット袋。
【請求項４】
前記易開封部が、前記傷痕群と、前記側部シール部の外端縁に設けられた切込みの組み合わせであることを特徴とする請求項１から３のいずれか１項に記載のガゼット袋。
【請求項５】
前記軟質包装材料は、前記ガゼット袋を開封する引裂き方向に延伸された一軸延伸フィルムを含む積層体であることを特徴とする請求項１から請求項４のいずれか１項に記載のガゼット袋。
【請求項６】
前記ガゼット袋は、さらに底面部を有することを特徴とする請求項１から請求項５のいずれか１項に記載のガゼット袋。
【請求項７】
前記側部シール部の複数の高さ位置に前記易開封部が設けられていることを特徴とする請求項１から６のいずれか１項に記載のガゼット袋。
【請求項８】
請求項１から７に記載のいずれかのガゼット袋に、内容物として複数の個包装体が収納されていることを特徴とする内容物収納体。
【請求項９】
前記個包装体の高さは、前記ガゼット袋の易開封部までの高さよりも高いことを特徴とする請求項８に記載の内容物収納体。
【発明の詳細な説明】
【技術分野】
【０００１】
本発明は、ガゼット袋および内容物収納体に関する。
【背景技術】
【０００２】
軟質包装材料からなる包装袋において、はさみ等の道具を使わずに手で容易に開封できるように、包装袋の端部のシール部の１箇所に切込みや傷痕が設けられており、その箇所をきっかけとして包装袋を引裂いて開封するものが知られている。
【０００３】
また、一対の平面部とＶ字状に折られた一対の側面部（折込のマチ）を有するガゼット袋がある。ガゼット袋はマチを有するため、内容物を充填した場合に立体的に広がり、自立した状態で陳列することができる。また、ガゼット袋は、マチのない袋と比較すると内容積が大きくなるため、大容量の内容物を包装することができる。
【０００４】
一般的なガゼット袋の場合、端部のシール部の１箇所に切込みや傷痕が設けられていても、その箇所をきっかけとして包装袋（ガゼット袋）を横方向に引裂いた場合、引裂きを開始したシール部と隣り合う側面部とは逆側の側面部のＶ字の頂部を切り裂くことができず、包装袋を開封することができないことがある。この問題を解決するため、いくつかの包装袋が提案されている。
【０００５】
特許文献１に記載のガゼットタイプ包装袋は、一方の折り込み部の側端に側端熱接着部を形成し、側端熱接着部上に開封開始手段（ノッチ）を形成し、ノッチを有する折込部の反対側に位置する折込部の引裂き仮想線上に、折込先端部を含むように内層同士を熱接着した開封補助熱接着部を有する。また、開封補助熱接着部内に折込先端部を少なくとも切断する開封補助手段としての１本の直線状切込みを、引裂き仮想線とほぼ一致するように包装袋を貫通して設けている。これにより、開封を開始したシール部と隣り合う側面部とは逆側の側面部のＶ字の頂部を切り裂いて、折込部と直交する方向に容易に開封することができ、ほぼ一定の形状の開口を得ることができるというものである。
【０００６】
また、特許文献２に記載の易開封ガゼット袋状容器は、１枚のフィルムを筒状に形成し、合掌貼りした縦シール部を１本設け、その縦シール部の一部を易剥離性シール領域とし、該領域内に開封カッティング用切込部（２つのノッチ）を設けている。そして、開封カッティング用切込部の間にあるタブフィルム部分を、袋状容器の周方向へ帯状に切り離して開封するというものである。
【先行技術文献】
【特許文献】
【０００７】
【特許文献１】特開２００４−２３７９９５号公報
【特許文献２】特開２００２−１０４４３８号公報
【発明の概要】
【発明が解決しようとする課題】
【０００８】
特許文献１に記載のガゼットタイプ包装袋は、開封補助熱接着部を有するため、その分、内容積が減少する。また、ノッチのある側の折込部の両ノッチを揃えた状態で、両ノッチを引裂きの開始部として一対の平面部を同時に横方向に引裂いて、包装袋を開封するものである。そのため、内容物が固形状であり、その高さが引裂き予定線の位置より高い場合には、内容物が障害となり、一対の平面部を同時に横方向に引裂くことは困難である。
【０００９】
特許文献２に記載の易開封ガゼット袋状容器は、袋容器の周方向へタブフィルム部分を帯状に切り離して開封するため、Ｖ字の頂部を切り裂くことができないという問題はなく、内容物が固形状であり、その高さが引裂き予定線の位置より高い場合でも、内容物が障害とならずに開封することができる。しかし、この易開封ガゼット袋状容器は、合掌貼りした縦シール部が一本あるのみで、各側板（平面部と側面部）の境界は折られて形成されている。このような、各側板（平面部と側面部）の境界が折られて形成されているガゼット袋は、平面部と側面部との境界に柱となる側部シール部を有する袋に比較して自立性に劣る。
【００１０】
しかし、境界が側部シール部であった場合には、特許文献２における開封方法では、引裂きは側部シール部を乗り切れることができずに、開封することが困難である。また、特許文献２における開封方法では、帯状に切り離したタブフィルム部分がゴミとなる。
【００１１】
本発明は上述の事情に鑑みてなされたものであり、内容積を減少させることなく、引裂きを開始したシール部と隣り合う側面部とは逆側の側面部のＶ字の頂部を切り裂くことができ、タブフィルム部のようなゴミが発生することもなく、また、自立性を確保するために平面部と側面部の境界が側部シール部であっても、確実に開封することができるガゼット袋を提供することを目的とする。
【課題を解決するための手段】
【００１２】
上述の課題を解決するために、本発明の一態様に係るガゼット袋は、軟質包装材料からなり、少なくとも一対の平面部と一対の側面部からなる内容物収納部形成面部と、前記一対の平面部及び前記一対の側面部を形成する軟質包装材料の側部同士を接合している側部シール部と、前記内容物収納部形成面部に囲まれた内容物収納部を有するガゼット袋であって、前記側部シール部の一部を含む領域に易開封部が設けられ、前記易開封部は、前記側部シール部と前記内容物収納部形成面部の境界線である前記側部シール部の内端縁をまたぐように形成された傷痕群を有することを特徴とする。
【００１３】
前記側部シール部は４本あり、前記易開封部は、全ての前記側部シール部のそれぞれにおいて、略同一の高さ位置に設けられていてもよい。
【００１４】
前記易開封部において、前記傷痕群は前記側部シール部の外端縁まで延びていてもよい。
【００１５】
前記易開封部が、前記傷痕群と、前記側部シール部の外端縁に設けられた切込みの組み合わせであってもよい。
【００１６】
前記軟質包装材料は、前記ガゼット袋を開封する引裂き方向に延伸された一軸延伸フィルムを含む積層体であってもよい。
【００１７】
前記ガゼット袋は、さらに底面部を有していてもよい。
【００１８】
前記側部シール部の複数の高さ位置に前記易開封部が設けられていてもよい。
【００１９】
本発明の一態様に係る内容物収納体は、上述のガゼット袋に固形状の内容物として複数の個包装袋が収納されていることを特徴とする。
【００２０】
前記個包装体の高さは、前記ガゼット袋の易開封部までの高さよりも高くてもよい。
【発明の効果】
【００２１】
本発明は、内容積を減少させることなく、引裂きを開始したシール部と隣り合う側面部と逆側の側面部のＶ字の頂部を切り裂くことができ、タブフィルム部のようなゴミが発生することもなく、また、自立性を確保するために平面部と側面部の境界が側部シール部であっても、確実に開封することができるガゼット袋を提供することができる。
【図面の簡単な説明】
【００２２】
【図１】（ａ）は、本発明の一実施形態に係るガゼット袋の外観図であり、（ｂ）は、（ａ）のガゼット袋の易開封部４１ａの周辺の部分拡大図である。
【図２】本発明の一実施形態に係るガゼット袋を底面の側から見た図である。
【図３】本発明の一実施形態に係るガゼット袋を上方から見た模式的な断面図である。
【図４】本発明の一実施形態に係る内容物収納体を開封した状態を示す外観図である。
【発明を実施するための形態】
【００２３】
以下、図面を参照して、本発明の一実施形態に係るガゼット袋について詳細に説明する。まず、本実施形態に係るガゼット袋の形状について説明する。図１（ａ）は、本発明の一実施形態に係るガゼット袋の外観図である。本実施形態に係るガゼット袋は、図１（ａ）に示すように、矩形状の軟質包装材料（シート材）からなる一対の平面部２１、２２と、矩形状の軟質包装材料が袋の内方が頂部となるようにＶ字状に折られた一対の側面部３１、３２とを有する。一対の平面部２１、２２と一対の側面部３１、３２とは、内容物収納部形成面部２１、２２、３１、３２とも言う。一対の平面部２１、２２の両側部には、Ｖ字状に折込まれたＶ字の頂部３１０、３２０を内方に突き合わせる様に一対の側面部３１、３２が配置されている。そして、一対の平面部２１、２２及び一対の側面部３１、３２を形成している軟質包装材料の側部同士は、ヒートシールにより接合されており、側部シール部４ａ、４ｂ、４ｃ、４ｄを形成している。側部シール部４ａは、平面部２１と側面部３１を形成している軟質包装材料との側部を接合している。側部シール部４ｂは、平面部２１と側面部３２とを形成している軟質包装材料の側部を接合している。側部シール部４ｃは、平面部２２と側面部３１とを形成している軟質包装材料の側部を接合している。側部シール部４ｄは、平面部２２と側面部３２とを形成している軟質包装材料の側部を接合している。また、各内容物収納部形成面部２１、２２、３１、３２（平面部２１、２２、側面部３１、３２）に囲まれた内容物収納部６を有する。
【００２４】
本実施形態に係るガゼット袋１は、さらに底面部５を有している。図２は、本実施形態に係るガゼット袋を底面の側から見た図である。底面部５は矩形状の１枚の軟質包装材料から構成されている。底面部５を形成している軟質包装材料の周部は、平面部２１、２２および側面部３１、３２を形成している軟質包装材料の下部と、それぞれヒートシールにより接合された下端シール部５４が形成されている。底面部５の長尺方向の中央線には中央折り線５１が形成されている。さらに、中央折り線５１上の２点を基点とし、底面部５の両端のそれぞれにおける２つの隅部とをそれぞれ結ぶ区間を、中央折り線５１の折り曲げ方向と同方向に折り曲げられた斜線折り線５２が形成され、中央折り線５１の２点の基点より外側が逆方向に折り曲げられている。ガゼット袋１に内容物が充填される前は、中央折り線５１、斜線折り線５２によって底面部５は折り畳まれているが、内容物が充填されたガゼット袋１の底面部５は、図２に示すように展開されて、ガゼット袋１は底が平らな包装袋となる。なお、底面部の折り畳み方は、上部の形態に限定されるものではない。
【００２５】
底面部を有することにより、底が平らとなり、ガゼット袋の自立性がよくなる。なお、本発明は、このような底面部を有するガゼット袋に限定されない。
【００２６】
側部シール部４ａ、４ｂ、４ｃ、４ｄのそれぞれの一部を含む領域には易開封部４１ａ、４１ｂ、４１ｃ、４１ｄが設けられている。図１（ｂ）は、図１（ａ）のガゼット袋１の易開封部４１ａの周辺の部分拡大図である。易開封部４１ａ、４１ｂ、４１ｃ、４１ｄは、ガゼット袋１を開封させたい高さ位置に設けられる。ガゼット袋の下端から易開封部４１ａ、４１ｂ、４１ｃ、４１ｄのそれぞれまでの高さ寸法は略等しい。
【００２７】
易開封部４１ａ、４１ｂ、４１ｃ、４１ｄのそれぞれは、側部シール部４ａ、４ｂ、４ｃ、４ｄの内端縁４２ａ、４２ｂ、４２ｃ、４２ｄをまたぎ、側部シール部４ａ、４ｂ、４ｃ、４ｄと各内容物収納部形成面部２１、２２、３１、３２にかかる傷痕群４３ａ、４３ｂ、４３ｃ、４３ｄを有する。ここで、内端縁４２ａ、４２ｂ、４２ｃ、４２ｄとは、側部シール部４ａ、４ｂ、４ｃ、４ｄと内容物収納部形成面部２１、２２、３１、３２との境界線である。また、内容物収納部６は、平面部２１、２２、側面部３１、３２および底面部５で囲まれた空間であり、この場合、底面部５も内容物収納部形成面部である。
【００２８】
傷痕群４３ａ、４３ｂ、４３ｃ、４３ｄの、高さ方向の幅寸法は、３ｍｍ〜２０ｍｍが好ましく、１０ｍｍ〜２０ｍｍがさらに好ましい。傷痕群の高さ方向の幅寸法が３ｍｍ以上であれば、容易に引裂くことができ、２０ｍｍ以下であれば、ガゼット袋を落下した際に傷痕群からの破袋が抑制される。
【００２９】
また、落下した際に傷痕群から破袋する可能性は多少あるものの、高さ方向全てに傷痕群が設けられていてもよい。後述する切込みの場所にもよるが、このように傷痕群を設けることで、ガゼット袋をどの高さ位置からでも容易に開封することができる。
【００３０】
本実施形態では、側部シール部４ａの易開封部４１ａを引裂き開始部とする。詳細は後述するが、ガゼット袋１は、図３に示すように、側部シール部４ａから開始された引裂きは、図中の矢印（１）のように、平面部２１と側面部３１のそれぞれの二方向へ進行し、側部シール部４ｂ、４ｃに到達する。その後、側部シール部４ｂ、４ｃも引裂き、引裂きは、側部シール部４ｂ、４ｃを乗り越えて、図中の矢印（２）のように、平面部２２と側面部３２にそれぞれ引裂きが進行する。引裂き開始部となる易開封部４１ａの傷痕群４３ａの高さ方向の幅寸法に比べ、残りの側部シール部４ｂ、４ｃ、４ｄの傷痕群４３ｂ、４３ｃ、４３ｄの高さ方向の幅寸法は、大きくてもよい。例えば、傷痕群４３ｂ、４３ｃ、４３ｄの高さ方向の幅寸法は、傷痕群４３ａの高さ方向の幅寸法より５〜２０ｍｍ大きくてもよい。これにより、引裂き線が引裂き予定線（真横方向）から多少ずれても、引裂きは傷痕群４３ｂ、４３ｃ、４３ｄに到達することができ、側部シール部４ｂ、４ｃ、４ｄを引裂くことができる。
【００３１】
傷痕群４３ａ、４３ｂ、４３ｃ、４３ｄの横方向の幅寸法は、２ｍｍ〜１０ｍｍが好ましい。そのうち、側部シール部４ａ、４ｂ、４ｃ、４ｄ上に位置する部分は１ｍｍ〜５ｍｍが好ましい。また、側部シール部の内端縁４２ａ、４２ｂ、４２ｃ、４２ｄをまたぎ、内容物収納部形成面部２１、２２、３１、３２上に位置する部分は１ｍｍ〜５ｍｍが好ましい。
【００３２】
このように、傷痕群４３ａ、４３ｂ、４３ｃ、４３ｄは、内端縁４２ａ、４２ｂ、４２ｃ、４２ｄをまたいで、それぞれ側部シール部４ａ、４ｂ、４ｃ、４ｄ上と、内容物収納部形成部２１、２２、３１、３２上に配置されている。側部シール部４ａから開始された引裂きが側部シール部４ｂ、４ｃ、４ｄに到達した際に、それぞれの易開封部の傷痕群４３ａ、４３ｂ、４３ｃ、４３ｄに到達することで、側部シール部４ｂ、４ｃ、４ｄの内端縁４２ｂ、４２ｃ、４２ｄで停止することなく進行し、側部シール部４ｂ、４ｃ、４ｄを引き裂くことができる。
【００３３】
傷痕群は複数の傷痕の集合であり、個々の傷痕はどのようなものであってもよい。傷痕は、軟質包装材料の一部を何らかの手段で傷つけた痕であって、その周囲より軟質包装材料が破壊されやすくなっている部分であり、例えば、軟質包装材料である積層体の外側表面、つまり最外層のみに設けられたものであってもよく、積層体を貫通させた貫通孔や半貫通孔が設けられたものでもよい。傷痕群が積層体を貫通させた貫通孔からなる傷痕を含んでいる場合、外側表面のみの傷痕群である場合に比べ、引裂きは全ての側部シール部を容易に乗り越えることができ、容易にガゼット袋を開封することができるため、好ましい。
【００３４】
ガゼット袋が、内容物として物品を個々に包装した個包装体を複数収納する外装袋である場合には、内容物収納部形成面部に貫通孔が設けられていてもよい。ガゼット袋に水分や酸素、光からの遮光性を必要としている場合には、傷痕群は、後述する積層体のバリア層より外側の層に設けられている半貫通孔からなることが好ましい。
【００３５】
傷痕群の一つ一つの傷痕の平面視形状やこれらの配列は、どのようなものであってもよい。傷痕の平面視形状としては、三角形状、四角形状の多角形状や直線状、Ｖ字状などが挙げられる。また傷痕の平面視形状としては、丸状や不定形状であってもよい。傷痕の配列は、格子状や千鳥状が挙げられる。または、不規則な配置であってもよい。傷痕は、金属刃や砥石による加工や、レーザー加工により施される。傷痕群としては、例えば、深さ方向に四角錘形状の傷痕が千鳥状に配列されたもの、複数の直線の傷痕が千鳥状に配列されたもの、不定形状の傷痕が不規則に配置されたものなどが挙げられる。
【００３６】
傷痕群は、側部シール部で接合されている２枚の積層体のうち、片方の積層体の外側表面から設けられていてもよいし、平面部側と側面部側との両方の積層体の外側表面から設けられていてもよい。なお、傷痕群を両方の積層体の外側表面から設けた場合には、確実に両方の積層体の内容物収納部形成面部に傷痕群が形成されるため、片方の積層体の外側表面から設けられている場合よりも、容易に引裂きができるため、傷痕群が両方の積層体の外側表面から設けられているのが好ましい。
【００３７】
本実施形態では、引裂き開始部である易開封部４１ａにおいて、側部シール部４ａの外端縁４４ａには引裂きのきっかけとなる切込み４５ａが設けられている。そして、傷痕群４３ａは、側部シール部４ａの外端縁４４ａまでは延びていない。切込みを有することで、切込みが延びる方向により引裂き方向を決定することができる。切込みは、Ｉノッチ、Ｖノッチなど、既存のどのような形状であってもよいが、引裂き方向を決定する観点からは、Ｉノッチが好ましい。
【００３８】
切込みの位置は、傷痕群の下端から上端までの高さ方向の幅寸法に含まれるいずれかの位置に設けられていることが好ましく、傷痕群の下端と上端の略中央であることが好ましい。切込みと傷痕群とは当接していてもよいが、１〜３ｍｍ程度離れていてもよい。本発明のガゼット袋では、引裂き開始部となる易開封部４１ａを有する側部シール部４ａにおいて、切込み４５ａのみ形成され、傷痕群４３ａが形成されていなくてもよい。
【００３９】
また、切込みは、側部シール部４ａのみでなく、側部シール部４ｂ、４ｃ、４ｄにも設けられていてもよい。この場合、側部シール部４ｂの外端縁４４ｂには切込み４５ｂが設けられる。側部シール部４ｃの外端縁４４ｃには切込み４５ｃが設けられる。側部シール部４ｄの外端縁４４ｄには切込み４５ｄが設けられる。
【００４０】
なお、上述の実施形態では、４つの易開封部（傷痕群および切込み）が略同一の高さ位置に一組設けられていたが、複数の異なる高さ位置に、複数組の易開封部が設けられていてもよい。
【００４１】
次に、本実施形態のガゼット袋の材質について説明する。本実施形態のガゼット袋において、平面部２１、２２、側面部３１、３２および底面部５は、例えば樹脂フィルムなどを積層した軟質包装材料（シート材）からなる積層体である。この積層体は、少なくともガゼット袋の外側となる最外層と、ガゼット袋の内側となる最内層とを有する積層体からなる多層フィルムであることが好ましい。なお、積層体は、必要に応じて、最外層と最内層の間に、中間層を有していてもよい。
【００４２】
最外層としては、印刷適性に優れ、さらに突き刺し強度、引っ張り強度、耐衝撃性等を備えたフィルムが好ましい。最外層の材質としては、例えば、ポリエチレンテレフタレート、ポリプロピレン、ポリアミド、エチレンビニルアルコール共重合体等が挙げられ、これらの二軸延伸フィルムが好ましい。また、これらのフィルムに、酸素や水蒸気に対するバリア性を付与するために、アルミニウム、マグネシウム等の金属、又は酸化珪素等の酸化物を蒸着させた蒸着フィルム、ポリ塩化ビニリデン等のバリア性コート剤等をコートしたコートフィルム等を用いてもよい。最外層は、前記したフィルムの単体であってもよく、積層体であってもよい。
【００４３】
最内層としては、最外層の形状を維持できる温度範囲内で加熱溶融可能で、ヒートシール可能な層である。最内層の材質としては、例えば、高密度ポリエチレン、低密度ポリエチレン、直鎖状低密度ポリエチレン等のポリエチレン、ポリプロピレン等が挙げられ、これらの未延伸フィルムや、前記樹脂を層状に押し出し、フィルムとしたものが好ましい。
【００４４】
中間層としては、例えば、酸素バリア性、水蒸気バリア性、引裂き性、突き刺し強度、引っ張り強度、耐衝撃性等の機能性を備えたフィルムが挙げられ、最外層に挙げたものと同様のものが挙げられる。また、中間層としては、例えば、アルミニウム等の金属箔も挙げられる。これらの層を１層用いてもよく、２層以上設けてもよい。
【００４５】
中間層の一つとしては、引裂き方向にのみ延伸された一軸延伸フィルムを用いることが好ましい。すなわち、側部シール部の延びる方向（ガゼット袋の高さ方向）と垂直の方向に延伸された一軸延伸フィルムを用いることが好ましい。これにより、積層体は、ガゼット袋の引裂き方向は確実に引裂き予定線と一致する。また、一軸延伸フィルムは、中間層ではなく最外層に設けてもよい。
【００４６】
一軸延伸フィルムとしては、例えば、一軸延伸ポリエチレンフィルムおよび一軸延伸ポリプロピレンフィルムが挙げられる。具体的に、一軸延伸ポリエチレンフィルムとしては、縦一軸延伸フィルムの東京インキ（株）製「ハイブロン」、横一軸延伸フィルムのデンカ（株）製「カラリヤン」が挙げられる。加えて、一軸延伸ポリプロピレンフィルムとしては、縦一軸延伸フィルムの東京インキ（株）製「ノーブレン」、フタムラ化学（株）製「ＭＣＭＤ−ＡＳ」が挙げられる。
【００４７】
最外層、最内層、及び必要に応じて用いる中間層からなる積層体は、接着剤を用いたドライラミネート法、熱接着性樹脂を用いた押し出しラミネート法等の公知の方法で製造できる。
【００４８】
次に、本実施形態に係るガゼット袋の開封方法について説明する。図３は、本実施形態に係るガゼット袋を上方から見た模式断面図である。
【００４９】
側部シール部の一つである側部シール部４ａの易開封部４１ａを引裂き開始部とする場合、まず、側部シール部４ａの易開封部４１ａを境界としたガゼット袋上部とガゼット袋下部をそれぞれつまみ、易開封部４１ａを引裂き開始部として、側部シール部の延びる方向と直交する方向に、切込み４５ａからガゼット袋１を引裂く。一つの側部シール部４ａのみを把持していることにより、図中の矢印（１）のように、引裂きは、平面部２１と側面部３１のそれぞれの二方向へ進行し、側部シール部４ｂ、４ｃに到達する。
【００５０】
本実施形態における易開封部の傷痕群が設けられていないガゼット袋の場合、引裂きが側部シール部４ｂ、４ｃに到達すると、側部シール部４ｂ、４ｃが抵抗となり、内端縁４２ｂ、４２ｃにて引裂きが停止してしまう。しかし、本実施形態のガゼット袋の場合、側部シール部４ｂ、４ｃの内端縁４２ｂ、４２ｃをまたぐ傷痕群４３ｂ、４３ｃを含む易開封部４１ｂ、４１ｃが設けられている。そのため、側部シール部４ｂ、４ｃに引裂きが到達すると、容易に側部シール部４ｂ、４ｃも引裂くことができ、引裂きは、側部シール部４ｂ、４ｃを乗り越えて、図中の矢印（２）のように、平面部２２と側面部３２にそれぞれ引裂きが進行する。
【００５１】
最後に、引裂きは側部シール部４ｄに到達し、側部シール部４ｄの内端縁４２ｄをまたぐ傷痕群４３ｄを含む易開封部４１ｄにより、側部シール部４ｄも容易に引裂くことができる。これにより、ガゼット袋のうち、引裂き線より上の部分は、下の部分と完全に分離することができ、ガゼット袋を開封することができる。上下部分を分離するため、従来のような帯状のゴミは発生しない。
【００５２】
このように、本実施形態のガゼット袋は、引裂きを開始した側部シール部４ａと隣り合う側面部３１とは逆側の側面部３２のＶ字の頂部３２０および側部シール部４ｂ、４ｃ、４ｄを容易に切り裂くことができる。また、本実施形態のガゼット袋は、従来のような内容物収納部の容積を減少させる、側面部のＶ字の頂部を含むシール部は存在しないため、容積を減少させることはない。
【００５３】
なお、引裂きを開始した側部シール部４ａ以外のいずれの側部シール部４ｂ、４ｃ、４ｄも引裂かれず、側部シール部４ａと隣接する平面部２１と側面部３１のみが引裂かれても内容物は取り出すことができるが、残りの側部シール部４ｂ、４ｃのうち、少なくとも一つの側部シール部が引裂かれ、一対の平面部２１、２２と一対の側面部３１、３２の四面のうち、三面が引裂かれていれば、容易にガゼット袋から内容物を取り出すことができる。従って、易開封は、少なくとも一つの側部シール部にあればよく、二つの側部シール部にあってもよく、引裂き線より上の部分を下の部分と完全に分離するために、四つの側部シール部全てにあるものが最も好ましい。
【００５４】
次に、本実施形態のガゼット袋１に内容物を収納した内容物収納体１１について説明する。図４は、内容物収納体１１を開封した状態を示す外観図である。図４の例では、内容物収納部６に内容物７が複数収納されており、内容物７の高さが引裂き線８よりも高い状態である。
【００５５】
本実施形態に係る内容物収納体１１は、内容物７が、物品が個々に包装されている個包装体や、固体である場合、易開封部４１ａ、４１ｂ、４１ｃ、４１ｄを結ぶ引裂き線８よりも内容物７の高さが高くても、上述した開封方法により容易に開封することができる。内容物７が収納されていることにより、側面部３１、３２の折込が広がり、ガゼット袋の断面が略四角形状となっている。したがって、開封後の内容物収納体１１を自立させた場合、内容物７のうち、ガゼット袋の引裂き線８より高い部分、つまり、（内容物７の高さ寸法）から（ガゼット袋の下端から引裂き線８までの高さ寸法）を引いた部分が、ガゼット袋の内容物収納部６から突出する。
【００５６】
そのため、内容物収納体１１から内容物を取り出し易く、種々の種類の内容物が複数収納されている場合であっても、容易にどの種類のものであるかを識別できる。また、側部シール部を４本有しており、これら側部シール部は、ガゼット袋が自立する際の柱として機能する。その結果、高さのあるガゼット袋であっても、内容物が減少した際にも自立性に優れ、美観に優れる。内容物を整列させて収納することで、さらに美観に優れたものとなる。
【００５７】
本発明のガゼット袋は、個包装体の外装袋として特に好適に使用できる。個包装体の中に充填されている物品は、固体、液体、粉状体などどのようなものでもよい。より具体的には、ふりかけ等の三方乃至四方袋、インスタントコーヒー、スティックシュガー等のスティック包装体、ドリップコーヒーの個包装体などが挙げられる。特にスティック包装体や、さらに大きなドリップコーヒーの個包装体は、細長い形状を有しており、それらを自立させたまま、その一部を内容物収納部６から突出させたままガゼット袋を開封できるため、自立性に優れ、容易に開封できる本発明のガゼット袋の好適な使用態様である。
【００５８】
本実施形態のガゼット袋１は、さらに、底面部５を有している。底面部を有さずに平面部を折込むことで底部を形成している場合、一対の平面部の下端部をシールした底シール部が、載置面と底部の間に位置するため、内容物の重量が大きいものであれば自立するが、小さいものであるとこの底シール部によりガゼット袋の自立が妨げられる。本実施形態のガゼット袋１は、平面部２１、２２と側面部３１、３２はシール部を介して底面部５が設けられている。具体的には、底面部５の周囲を平面部２１、２２、側面部３１、３２と下端シール部５４により接合し、底面部５乃至下端シール部５４により載置面に載置されているため、載置面と底面部の間にシール部は存在せず、内容物の重量が小さいものであっても、自立する。内容物充填前の底面部の折込形状は、本実施形態に限定されず、どのようなものであってもよい。
【００５９】
上述のように、本実施形態のガゼット袋１は、引裂きを開始した側部シール部４ａと隣り合う側面部３１とは逆側の側面部３２のＶ字の頂部３２０、及び全ての側部シール部４ａ、４ｂ、４ｃ、４ｄを容易に引き裂くことができるため、容易に開封することができる。また、ガゼット袋の容積を減少させることなく、内容物７が引裂き予定線の位置より高さのあるものであっても収納が可能であり、その場合でも確実に開封することができる。
【００６０】
次に、本実施形態のガゼット袋の製造方法の一例について説明する。まず、一対の平面部２１、２２と一対の側面部３１、３２のそれぞれを構成する矩形状のシート材のそれぞれの端部をヒートシールにより接合して側部シール部４ａ、４ｂ、４ｃ、４ｄを形成し、ガゼット袋の筒体を形成する。
【００６１】
次に、上述のように折込の入った底面部５を構成する部材を製造する。折込の入った底面部５を構成する部材の製造方法は、例えば、矩形状のシート材の中央にて中央折り線５１を形成し、中央折り線５１上の２点を基点とし、基点とシート材の両端のそれぞれにおける２つの隅部とをそれぞれ結ぶ区間を、中央折り線５１の折り曲げ方向と同方向に折り曲げて斜線折り線５２を形成し、中央折り線５１の２点の基点より外側を逆方向に折り曲げることで製造することができる。
【００６２】
そして、折込んだ底面部５を構成する部材を筒体の二つの開口のうち、ガゼット袋の下方となる方の開口に挿入し、筒体の端縁と底面部５を構成する部材の端縁とをヒートシールにより接合して下端シール部５４を形成し、ガゼット袋１を形成する。
【００６３】
または、一対の側面部３１、３２を構成する矩形状のシート材をＶ字状に折り、折り線を突き合せ、上述と同じ形状に折込んだ底面部５を構成する部材の両端で側面部３１、３２を挟み、固定する。そして、その部材を一対の平面部２１、２２を構成するシート材で挟み、ヒートシールにより側部シール部４ａ、４ｂ、４ｃ、４ｄと下端シール部５４を形成し、ガゼット袋１を形成する。
【００６４】
そして、２本の側部シール部４ａと４ｃ、４ｂと４ｄがそれぞれ重なった状態で扁平状に折り畳まれたガゼット袋において、側部シール部４ａ、４ｂ、４ｃ、４ｄの外端縁４４ａ、４４ｂ、４４ｃ、４４ｄに切込み４５ａ、４５ｂ、４５ｃ、４５ｄを切込み形成用の金属刃により設ける。各側部シール部の内端縁４２ａ、４２ｂ、４２ｃ、４２ｄをまたぎ側部シール部４ａ、４ｂ、４ｃ、４ｄと内容物収納部形成面部２１、２２、３１、３２を含むように傷痕群４３ａ、４３ｂ、４３ｃ、４３ｄを傷痕群形成用の金属刃により設ける。扁平状に折り畳まれたガゼット袋において、一方の平面部側から金属刃をあて、他方の平面部には金属刃の受け部をあて、傷痕群４３ａ、４３ｂ、４３ｃ、４３ｄを設けることもできるが、両平面部２１、２２側から金属刃をあてることで、平面部、側面部の両方の積層体の外側表面から設けられた傷痕群４３ａ、４３ｂ、４３ｃ、４３ｄを形成することができる。両平面部２１、２２側からあてる金属刃は、例えば、千鳥状に配列された複数の四角錐形状の金属刃が、一方の平面部側からあてる金属刃と他方の平面部側からあてる金属刃の互いの刃の先端がぶつかり合わず、個々の刃の間に互いに入り込むように噛み合う金属刃とすることで、全ての傷痕群４３ａ、４３ｂ、４３ｃ、４３ｄが、平面部側と側面部側の両方の積層体の外側表面から設けられた貫通孔を含む傷痕群となり、より容易な引裂き、つまり軽い力での引裂きができるようになる。以上の工程により、ガゼット袋１に傷痕群４３ａ、４３ｂ、４３ｃ、４３ｄおよび切込み４５ａ、４５ｂ、４５ｃ、４５ｄからなる易開封部４１ａ、４１ｂ、４１ｃ、４１ｄが形成される。
【００６５】
上述の実施形態では、底面部のあるものを記載したが、底面部を設けなくてもよい。底面部を設けていない場合は、平面部２１、２２の下方が折られて底面を形成し、自立可能である。この場合、平面部２１、２２との下端の底シール部がガゼット袋の底に位置することになる。
【００６６】
上述の実施形態では、略同一の高さ位置に設けられた、傷痕群および切込みからなる４つの易開封部を一組として、一組の易開封部が設けられていたが、複数の異なる高さ位置に、複数組の易開封部が設けられていてもよい。この場合、内容物が上述のような個包装体である場合には、内容物が開口から露出する高さで開封したり、あるいは内容物が開口から露出しない高さで開封したりすることができ、内容物が粉体等の場合には、内容物の残量によって開封する高さを変更することができ、使用者の好みの開封態様を選択できる。
【００６７】
上述の実施形態では、側部シール部に易開封部の一部として切込みを有していたが、切込みを有さずに、少なくとも一つの易開封部は、内容物収納部形成面部から側部シール部の内端縁をまたいで側部シール部の外端縁まで延びる傷痕群のみが設けられていてもよい。その場合、傷痕群から引裂きを開始する。傷痕群は、複数の傷痕が幅を持って群をなしているため、引裂き開始部とすると引裂き線が傷痕から傷痕へ移動するにあたり、想定している方向に引裂かれない可能性がある。そのため、少なくとも引裂き方向が決定する引裂き開始部となる易開封部には切込みが設けられていることが好ましい。または、外端縁まで延びる傷痕群の場合には、引裂き方向を決定し易いように、ガゼット袋の高さ方向における傷痕群の幅寸法が、側部シール部の内端縁側より外端縁側が小さくなっていることが好ましい。この際、ガゼット袋の高さ方向における傷痕群の幅寸法は、側部シール部の内端縁側から外端縁側へ向かって、段階的に小さくなっていてもよく、あるいは漸次的に小さくなっていてもよい。また、外端縁まで延びる傷痕群は、側部シール部の内端縁をまたぐ傷痕群から側部シール部の外端縁まで連続しておらず、一部に傷痕群のない部分を有していてもよい。さらに、易開封部は、切込みを有さずに、傷痕群が、内容物収納部形成面部から側部シール部の内端縁をまたいで側部シール部の外端縁まで延びない傷痕群が設けられていてもよい。この場合、引裂き開始部となる易開封部は、側部シール部の外端縁に切込みも傷痕群も有していないため、傷痕群が端縁となるようにガゼット袋を、側部シール部の内縁端付近で折り曲げることで、そこから引裂きを開始することができる。また、引裂き開始部となる易開封部は、側部シール部の外端縁まで延びる傷痕群と切込みの両方を有していてもよい。この場合、引裂き方向を決定することができ、軽い力で容易に引裂きを開始することができる。
【００６８】
上述の実施形態では、平面部および側面部となる４枚のシート材を接合してガゼット袋の筒体を形成していたが、１枚のシート材を筒状にして、側部シール部を４本形成することにより、ガゼット袋の筒体を形成してもよい。また、一対の平面部と底面部、または一対の側面部と底面部が１枚のシート材からなるものからガゼット袋を形成してもよい。さらに、上述の実施形態では、側面部３１、３２のＶ字の頂部３１０、３２０がガゼット袋１の上端から下端まで延びており、底面部５の中央折り線５１上の基点から外側が折り込まれている形状のガゼット袋であったが、底面部の中央折り線がガゼット袋の幅方向の全長に延びており、側面部のＶ字の頂部上の基点から下方が折り込まれている形状のガゼット袋であってもよい。
【００６９】
上述の実施形態では、引裂き方向を引裂き予定線と一致させるために、例えば中間層に一軸延伸フィルムを用いることが好ましいとしたが、一軸延伸フィルムを用いずに、引裂き予定線に一致する直線状の連続または断続的なカット線を設けて、引裂き方向を導くようにしてもよい。このようなカット線は、例えば最外層側から積層体のうちの一つまたは複数の層を半貫通または貫通する線であり、レーザー加工や金属刃による加工によって設けることができる。ただし、カット線を設けるには、加工工程が一工程増加してしまうため、一軸延伸フィルムを用いることが好ましい。
【００７０】
以上、本発明の好ましい実施形態を説明したが、本発明はこれら実施形態およびその変形例に限定されることはない。本発明の趣旨を逸脱しない範囲で、構成の付加、省略、置換、およびその他の変更が可能である。
【００７１】
本明細書において「上、下、垂直、水平、縦、横、表、裏、外および内」などの方向を示す言葉は、本発明の構成におけるこれらの方向を説明するために使用している。従って、本発明の明細書を説明するために使用されたこれらの言葉は、本発明の構成において相対的に解釈されるべきである。
【符号の説明】
【００７２】
１…ガゼット袋、１１…内容物収納体、２１、２２…平面部、３１、３２…側面部、３１０、３２０…Ｖ字の頂部、４ａ、４ｂ、４ｃ、４ｄ…側部シール部、４１ａ、４１ｂ、４１ｃ、４１ｄ…易開封部、４２ａ、４２ｂ、４２ｃ、４２ｄ…内端縁、４３ａ、４３ｂ、４３ｃ、４３ｄ…傷痕群、４４ａ、４４ｂ、４４ｃ、４４ｄ…外端縁、４５ａ、４５ｂ、４５ｃ、４５ｄ…切込み、５…底面部、５１…中央折り線、５２…斜線折り線、５３…三角翼、５４…下端シール部、６…内容物収納部、７…内容物（個包装袋）、８…引き裂き線
【図１】
2019199304.tif 000003
【図２】
2019199304.tif 000004
【図３】
2019199304.tif 000005
【図４】
2019199304.tif 000006